(57)【要約】【課題】現在のデジタルカメラや、歩数計などの情報取得装置は、後に情報を編集する際活用するために、時刻を情報へ添付して記憶する。しかし、コンピュータで編集する際に、日時で整理する事は可能であるが、使用者が必要と感じた時間帯の情報を特定し分類するのは困難である。また、そのような仕組みを情報取得装置へ格納すると、操作の複雑化、重量化が問題となる。【解決手段】使用者が、日常持ち歩く腕時計などの携帯型情報装置を用いて取得した時刻情報を基に、情報取得装置にて取得した時系列の処理対象情報を分類して、使用者が欲する情報を特定して活用することを容易にした情報処理装置を提供する。【選択図】      図１
2004288115.tif 000002
【特許請求の範囲】
【請求項１】
時刻を取得する携帯型情報装置を接続する情報処理装置において、前記携帯型情報装置が取得した第１の時刻情報と第２の時刻情報を受信する受信手段と、前記第１の時刻情報と前記第２の時刻情報との間に存在する第３の時刻情報にて特定される処理対象情報を分類する処理手段を有する情報処理装置。
【請求項２】
前記第１の時刻情報、または前記第２の時刻情報を取得する時刻を、使用者が決定して記憶する時刻記憶手段を有することを特徴とする携帯型情報装置。
【請求項３】
前記処理対象情報を、前記第１の時刻情報と前記第２の時刻情報のうち、前記第３の時刻情報に対して前の時刻情報であるいずれか一と関連付けて記憶する記憶手段を有することを特徴とする請求項１に記載の情報処理装置。
【請求項４】
前記処理対象情報を、前記第１の時刻情報と前記第２の時刻情報のうち、前記第３の時刻情報に対して後ろの時刻情報であるいずれか一と関連付けて記憶する記憶手段を有することを特徴とする請求項１に記載の情報処理装置。
【請求項５】
前記処理対象情報を、前記第１の時刻情報と前記第２の時刻情報のうち、前記第３の時刻情報に対して時間の近い時刻情報である、いずれか一と関連付けて記憶する記憶手段を有することを特徴とする請求項１に記載の情報処理装置。
【請求項６】
前記時刻情報は、時、分、秒、年、日、月、曜日のうち少なくとも一つを有することを特徴とする請求項１に記載の情報処理装置。
【請求項７】
前記処理対象情報は、動画情報、静止画情報、歩数情報、心拍情報、または血圧情報を有することを特徴とする請求項１に記載の情報処理装置。
【請求項８】
前記携帯型情報装置を認証する認証手段を有し、該認証手段により認証された携帯型情報装置と接続すると、前記受信手段、前記処理手段のうち少なくとも一つを動作することを特徴とする請求項１に記載の情報処理装置。
【請求項９】
前記携帯型情報装置から受信した第４の時刻情報と、前記処理対象情報を取得する情報取得装置から受信した第５の時刻情報との時間差を算出して、前記第１の時刻情報および前記第２の時刻情報、または前記第３の時刻情報を補正する補正手段を有することを特徴とする請求項１に記載の情報処理装置。
【請求項１０】
水晶時計、電波時計、原子時計、インターネットを介して時刻を取得するプログラムのうちの少なくとも一つを有して時刻を取得する時刻取得手段を有することを特徴とする請求項１に記載の情報処理装置。
【請求項１１】
前記携帯型情報装置から受信した第４の時刻情報と、前記時刻取得手段で取得した第６の時刻情報との時間差を算出して、前記第１の時刻情報または前記第２の時刻情報を補正する補正手段を有し、該補正手段にて補正した前記第１の時刻情報または前記第２の時刻情報を利用して前記処理対象情報を分類することを特徴とする請求項８に記載の情報処理装置。
【請求項１２】
前記処理対象情報を取得する情報取得装置から受信した第５の時刻情報と、前記時刻取得手段より取得した第６の時刻情報との時間差を算出して、前記第３の時刻情報を補正する補正手段を有し、該補正手段にて補正した前記第３の時刻情報を利用して前記処理対象情報を分類することを特徴とする請求項８に記載の情報処理装置。
【発明の詳細な説明】
【０００１】
【発明の属する技術分野】
使用者が、外出先にて取得した複数の情報を、整理するのに用いる情報処理装置に関する。また、情報の整理を目的として、情報処理装置に付属して用いる携帯型情報装置に関する。
【０００２】
【従来の技術】
コンピュータと接続して情報を送受信する腕時計は、現在ダイバー用などが市販されている。（例えば、非特許文献１参照。）。これらのダイバー用腕時計は、潜水年月日、潜水開始時刻、または潜水終了時刻などの複数の時刻情報、深度などの時系列情報、さらに潜水回数などの情報を腕時計にて取得して記憶する。コンピュータは、腕時計と接続して、これらの情報を受信して、表示したり、記憶したりする。これにより、自己の潜水記録だけでなく、情報を分析したり、ホームページに載せたりすることが容易となり、利便性が高い。
【０００３】
一方、デジタルカメラの普及により、電子化された静止画情報の整理の方法が各種考えられている。例えば、ＧＰＳ機器にて取得した位置情報と、デジタルカメラで取得した静止画情報とを関係付けて、どこの場所で取得された静止画像かを記憶する方法などが開示されている（例えば、非特許文献２参照。）。また、同じ日付であることを基に、静止画情報を分類して整理する方法なども考えられている。
【０００４】
【非特許文献１】
シチズン時計株式会社  ２００１年度ＶＯＬ２  腕時計カタログ  ３０頁  プロマスター  ハイパーアクアランド
【非特許文献２】
村上俊一著「失敗しないデジカメ撮影術「デジカメｄｅ！！同時プリント５」編集術」  メディア・テック出版  ２００１年１０月発行
【０００５】
【発明が解決しようとする課題】
使用者がコンピュータを用いて、静止画情報などの処理対象情報を整理するにあたり、日付、撮影した取得場所を基に分類することが多い。また、インターネットを介して公開したり、年賀状に利用したりするため、複数の静止画情報の中から、特定の場所にて撮影した静止画情報を特定するには、使用者がコンピュータのモニターで画像を閲覧して、記憶を頼りに判断して手動で分類する必要がある。自動で特定の静止画情報を特定して分類するのに、デジタルカメラにＧＰＳ機能を格納するなど別途工夫をして、静止画情報に添付された位置情報を参照する必要があった。しかし、デジタルカメラの重量化や、操作の複雑化などに繋がる。
【０００６】
本発明は前記問題点に鑑みてなされたもので、使用者が、外出先にてデジタルカメラを用いて取得した複数の静止画情報のうち、希望する一枚の静止画情報を容易に特定して編集する情報処理装置、および、使用者が外出先で操作する携帯型情報装置を提供することを目的とする。
【０００７】
【課題を解決するための手段】
時刻を取得する携帯型情報装置を接続する情報処理装置において、携帯型情報装置が取得した第１の時刻情報と第２の時刻情報を受信する受信手段と、第１の時刻情報と第２の時刻情報に間に存在する第３の時刻情報にて特定される処理対象情報を分類する処理手段を有する情報処理装置を提供する。使用者は、特定の処理対象情報を取得したおおよその時刻を腕時計などの携帯型情報装置へ記憶しておき、受信手段および処理手段を有する情報処理装置を用いて、携帯型情報装置の記憶する時刻を受信して、受信した時刻を基に処理対象情報を分類する。さらに、精度よい処理対象情報の分類を行なうために、分類に利用する時刻情報を補正する情報処理装置を提供する。さらに、複数の使用者が共同して利用するために、特定の携帯型情報装置を認証してから処理対象情報を扱う情報処理装置を提供する。さらに、このような情報処理装置に接続して利用する携帯型情報装置を提供する。
【０００８】
【発明の実施の形態】
（実施例１）    図１は、本例のシステムを示した図である。図２は、本例のシステムの構成図である。図１、図２を用いて説明する。図２において、本システムは、使用者１３１が携帯する腕時計２ａと、デジタルカメラ１２１ａ、さらに使用者１３１が自宅に設置したコンピュータ１ａａからなる。コンピュータ１ａａは、コードなどで接続された読取装置１ａｂを有する。腕時計２ａと読取装置１ａｂは、高周波無線の情報伝送路９ａを介して、時刻情報Ａ１と時刻情報Ａ２を送受信する。コンピュータ１ａａと読取装置１ａｂと腕時計２ａの構成は、非特許文献１でも明らかである。コンピュータ１ａａは、デジタルカメラ１２１ａからＵＳＢコード１０ａを介して時刻情報Ｂと、時刻情報Ｂにて特定される処理対象情報Ｃとを受信する。
【０００９】
図２において、使用者１３１が、デジタルカメラ１２１ａを用いて処理対象情報Ｃを取得する直前に、腕時計２ａのボタン２０１を押すなどして、その日時を時刻情報Ａ１として取得して腕時計２ａに記憶する。さらに、使用者１３１は、撮影場所を変更した際、次の撮影場所で別の時刻である時刻情報Ａ２を取得して記憶する。使用者１３１が帰宅後に、腕時計２ａと接続したコンピュータ１ａａを操作して処理対象情報Ｃを分類する。コンピュータ１ａａは、格納されるプログラムに従って、処理対象情報Ｃに添付されている時刻情報Ｂを参照して、さらに腕時計２ａより受信した時刻情報Ａ１と時刻情報Ａ２を基に処理対象情報Ｃを分類する。コンピュータ１ａａは、腕時計２ａ、およびデジタルカメラ１２１ａを接続すると、接続を検知して、プログラムに従って自動的に処理対象情報Ｃを分類してもよい。さらに、腕時計２ａで取得した時刻情報Ａ１と処理対象情報Ｃを関係付けて記憶することにより、使用者１３１が処理対象情報Ｃを取得した時刻情報Ａ１を明らかにして記録したり、処理対象情報Ｃを撮影した時刻と伴にインターネットを介して公開したりする。本例では、処理対照情報Ｃは静止画情報でよい。このように使用者１３１が処理対象情報Ｃを利用することを容易にする。さらに、使用者１３１が、処理対象情報Ｃを用いた日記やアルバム作成などの記録、編集などを、時刻情報と関連付けて記憶する事で、後日の検索などによる閲覧を容易にする。
【００１０】
図１において、情報処理装置１は、携帯型情報装置５が取得した時刻情報Ａ１と時刻情報Ａ２を受信する受信手段２と、受信手段２にて受信した時刻情報Ａ１と時刻情報Ａ２との間に存在する時刻情報Ｂにて特定される処理対象情報Ｃを分類する処理手段３を有する。これにより、使用者１３１が外出先にて得た各種の処理対象情報を効率よく整理し、利便性が向上する。また、使用者１３１が効率よく処理対象情報Ｃの一部を特定するのを容易とする。情報処理装置１は、処理手段３により分類した処理対象情報Ｃを、時刻情報Ａ１もしくは時刻情報Ａ２のうち、いずれか一と関連付けて記憶する記憶手段４を有してもよい。使用者１３１が携帯型情報装置５を操作して取得した時刻情報を基に、処理対象情報Ｃを特定して利便性を向上する。携帯型情報装置５は、時刻情報Ａ１または時刻情報Ａ２を取得する時刻を、使用者１３１が決定する時刻取得手段１１１を有すればよい。また、情報処理装置１は、携帯型情報装置５と別に、処理対象情報Ｃを取得する情報取得装置１２１と接続して、情報を受信してもよい。
【００１１】
図１において、情報処理装置１は、図２におけるコンピュータ１ａａと読取装置１ａｂなどで構成されればよい。さらに、情報処理装置１は、使用者１３１の自宅のサーバー、コンピュータ、ＩＰ電話、印刷機、またはデジタル家電などでよい。サーバーなどは近年自宅用サーバーなどが販売され、インターネットを介して比較的正確な時刻を安定して取得するシステムを構築しやすい。ＩＰ電話は常時立ち上げているために情報を受信しやすい。印刷機では、画像情報に時刻情報Ａ１を添付して印刷するのに利便性が高い。デジタル家電などでは、画像情報を閲覧しやすい。他の情報処理装置１の構成例として、使用者１３１のコンピュータと提供者のサーバーと情報伝送路を有する構成からなるシステムなどがあげられ、システムの多様性に対応することが可能となる。システムとは、ネットワークで接続されたコンピュータやコンピュータシステムなどの構成要素からなる集合体で、全体として一つの目的を持った仕事をするものをいう。ただし、情報処理装置１がシステムで構成されていても使用者１３１が、操作する入力装置や表示装置を備えることが利便性から好ましい。
【００１２】
図１において、情報処理装置１をシステムとして構成した場合、使用者１３１が操作する構成例は、サーバー、コンピュータ、固定電話、ＩＰ電話、印刷機、またはデジタル家電などが挙げられる。提供者が操作する構成としては、各種のサーバー、コンピュータ、記憶装置などが挙げられる。このように情報処理装置１は使用者１３１の構成と提供者の構成が情報伝送路で接続されたシステムであってもよい。サーバーなどに記憶手段を格納すると、分類した画像情報ごとに、インターネットを介して情報を容易に閲覧できて、利便性がよい。また、使用者１３１の保有するコンピュータと別に、記憶手段などを提供者のサーバを利用することにより、個人のような使用者１３１においても、外出中にコンピュータをインターネットに常時接続しておいたり、電源を入れたままにしておく必要がなく、利便性が向上する。提供者とは、プロバイダや、画像を保管するストレージ業者などでよい。
【００１３】
図１において、受信手段２は、携帯型情報装置５が取得した時刻情報Ａ１と時刻情報Ａ２を、情報伝送路９を介して受信する。受信手段２は、その他の情報を同様に受信してもよい。情報伝送路９は、有線、無線、接触により情報を伝送すればよい。無線は、例えば、近距離無線などでよい。この時、携帯型情報装置５と情報処理装置１には、無線を送受信する装置を格納する必要がある。現在、市販されている腕時計からコンピュータへ情報を送信する情報伝送路９には、赤外線や高周波電波が使われている。他の主な情報伝送路９の構成として、記憶媒体に記憶して、携帯型情報装置５と情報処理装置１間で脱着して情報を伝送してもよい。記憶媒体は、例えば、フレキシブルディスク、ＭＯディスク、ＳＤカード（登録商標）、メモリィースティック（登録商標）などでよい。この時、携帯型情報装置５と情報処理装置１には、記憶媒体へ読み書きする装置を格納する必要がある。他の主な情報伝送路９の構成として、携帯型情報装置５のＵＳＢコネクタと情報処理装置１のＵＳＢコネクタとＵＳＢケーブルでハード的な接続を構成して、専用のプロトコルにより情報を送受信する。情報伝送路９で送受信される情報は、暗号化されて安全性を向上させていてもよい。この場合、情報処理装置１と携帯型情報装置５は、暗号化装置または複合化装置を必要とする。
【００１４】
図１において、受信手段２にて受信する時刻情報とは、主に時、分、秒、年、日、月、曜日のうち少なくとも一つを有し、さらに１／１０００秒の単位で受信してもよく、使用者１３１が必要とする精度の時刻情報であればよい。時刻情報は番号情報でもよい。時刻情報は、ＧＰＳ信号などの独自のコードなどで特定される時刻でもよい。時刻情報を取得する時計装置などは、携帯型情報装置５の他、使用者１３１が外出先で利用するデジタルカメラなど画像情報取得装置、ＩＣレコーダなどの音声情報取得装置、深度、温度、湿度などの各種情報取得装置で一般的に格納していることが多い。このため、時刻情報は、特別に何らかの手段を２つの装置に設けて、同期を取らずに共有して利用できる情報である。ただし、それぞれ取得する情報を利用する場合、使用者１３１、または提供者がそれぞれ装置の時刻合わせなど、同期をとればよい。受信手段２の後に、時刻情報Ａ１および時刻情報Ａ２は、情報処理装置１のデーターベースなどで記憶されてもよい。
【００１５】
図１において、処理手段３は、受信手段２にて受信した時刻情報Ａ１と時刻情報Ａ２との間に存在する時刻情報Ｂにて特定される処理対象情報Ｃを分類する。時刻情報Ａ１と時刻情報Ａ２との間に存在する時刻情報Ｂとは、時刻順に並べて、時刻情報Ａ１、時刻情報Ｂ、時刻情報Ａ２の順に並べられる時刻情報Ｂである。時刻情報Ａ１と時刻情報Ｂがほぼ同時刻であったり、時刻情報Ａ２と時刻情報Ｂがほぼ同時刻でも良い。時刻情報Ｂは複数存在してもよい。ほぼ同時刻とは、携帯型情報装置５の時刻のズレなどをほぼと示す。ある基準に従って、物事を似たものどうしにまとめて分けることである。本例では、主に、携帯型情報装置５を用いて取得した時刻情報Ａ１の前、時刻情報Ａ１の後、または時刻情報Ａ１と時刻情報Ａ２の間のいずれに存在するかの基準に従って、時刻情報Ｂにて特定される処理対象情報を分類する。つまり、情報処理装置１は、処理対象情報Ｃを特定する時刻情報Ｂを、受信手段２にて受信した時刻情報Ａ１または時刻情報Ａ２の、前、後、および間のいずれに存在するかを判別して、判別結果に従い処理対象情報Ｃを分類する。本例では、処理対象情報Ｃとしての静止画情報Ｃ１から静止画情報Ｃ５のうち、静止画Ｃ３を他の静止画から分類する。
【００１６】
図１において、処理手段３は、時刻情報および処理対象情報ＣをＣＰＵ（中央演算処理装置）などを用いて処理すればよい。処理対象情報Ｃとは、本例では静止画情報である。さらに、処理対象情報Ｃは、動画情報、音声情報、文字情報、歩数情報、血圧情報および心拍情報などを有していればよい。処理対象情報Ｃは、情報取得装置１２１に適した形式したファイル形式であればよく、情報処理装置１に処理するプログラムを格納していればよい。ファイル形式の例は、静止画情報であればＪＰＥＧなどでよく、動画情報であればＭＰＥＧなどでよく、音声情報であればＭＰ３などでよく、圧縮化されていてもよい。静止画情報は、風景や人や物などが写り、写真や映像のようにコンピュータが画面上に表示するのに用いるデータ、インターネットで送受信されるデータ、または印刷するのに用いるデータであればよい。さらに、静止画情報は、地図情報を有していたり、文字情報としては、住所、位置を特定する名称、さらにランドマークの名称などでもよい。本例は、デジタルカメラで取得したＪＰＥＧ形式の静止画像でよい。画像情報は、ＪＥＩＤＡ（日本電子工業振興協会）で規格された画像フォーマットである、ＥＸＩＦフォーマット（Ｅｘｃｈａｎｇｅａｂｌｅ  Ｉｍａｇｅ  Ｆｉｌｅ  Ｆｏｒｍａｔ）であればい。その他の例として、ビデオカメラで取得した動画像、ＩＣレコーダーで取得した音声情報など、時刻情報を添付されている情報であればよい。さらに、処理対象情報Ｃは、時計を格納した温湿度計で取得した温度湿度などの時系列情報でもよい。さらに、処理対象情報Ｃは、情報処理装置１がインターネットを介して取得した情報でもよい。
【００１７】
図１において、記憶手段４は、処理手段３にて分類した、処理対象情報Ｃを記憶する。さらに、記憶手段４は、処理手段３にて処理した時刻情報Ａ１や、時刻情報Ａ２、さらに時刻情報Ｂなどの時刻情報も記憶してよい。使用者１３１が整理した後の処理対象情報Ｃを閲覧するため、時刻を用いて検索するなどして利便性が向上する。また、処理対象情報Ｃと時刻情報を関連付けて記憶してもよい。関係付けるとは、情報と情報の関係を明らかにすることであり、例えば分類したり、１対１であると判断したり、対になるものがないと判断したり、一方から他方を特定できるようにする。また、記憶手段４は、時刻情報Ａ１と処理対象情報Ｃをデータベースなどを利用して記憶したり、処理対象情報に時刻情報を添付して記憶してもよい。
【００１８】
記憶手段４は、本例では、ＨＤＤ（Ｈａｒｄ  Ｄｉｓｋ  Ｄｒｉｖｅ）を記憶装置として用いる。その他の記憶手段４にて用いる記憶装置としては、磁気ドライブ、光ディスクなど磁気記憶装置、半導体記憶素子など半導体記憶装置のいずれでもよいが、安全に記憶することを重視し、省電力性や、軽量性や、耐久性や、コストにより選択すればよい。記憶装置により電気や、磁気や、光などを用いて記憶する。半導体記憶装置は、ＲＯＭ（Ｒｅａｄ  Ｏｎｌｙ  Ｍｅｍｏｒｙ）や、ＲＡＭ（Ｒａｎｄｏｍ  Ａｃｃｅｓｓ  Ｍｅｍｏｒｙ）や、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＦＲＡＭ（Ｆｅｒｒｏｅｌｅｃｔｒｉｃ  Ｒａｎｄｏｍ  Ａｃｃｅｓｓ  Ｍｅｍｏｒｙ）などを利用すればよい。また、記憶手段２は、フレキシブルディスク、ＭＯディスク、ＳＤカード（登録商標）、メモリィースティック（登録商標）などの記憶媒体を利用しても良い。
【００１９】
携帯型情報装置５は、個人が携帯する装置であればよく、軽量化、省電力化されている。本例では、腕時計である。携帯型情報装置５は、主に携帯電話、ＰＨＳ、携帯型コンピュータ、腕時計、腕時計型情報機器、携帯型情報末端、携帯型ゲーム機、ＧＰＳレシーバー、キーホルダ、ＩＣカードを差し込んだりＩＣタグを組み込み機能する携帯型機器、ノートパソコンなどでよい。また、これら機器を複合化した機器やシステムなどでもよい。携帯型情報装置５は、時刻取得手段１１１、時刻記憶手段１１２、さらに時刻情報送信手段１１３とを有し、時刻情報Ａ１と時刻情報Ａ２を取得して、これを情報伝送路９を介して情報処理装置１へ送信する。携帯型情報装置５は情報取得装置１２１と一体の装置でもよいが、処理対象情報に通常添付される時刻情報Ｂとは別に時刻情報Ａ１を付加すればよい。
【００２０】
図１において、時刻取得手段１１１は、携帯型情報装置５の内部または外部より時刻情報Ａ１を得る。携帯型情報装置５は水晶時計、電波時計などの時計装置を有して、時刻取得手段１１１を構成してもよい。時刻取得手段１１１は、使用者１３１が後に処理対象情報を分類する時刻の印として取得するため、入力装置としてボタンなどを備えて、時刻取得手段１１１、情報記憶手段１１２を構成してもよい。特に電波時計を有すると自動的に時刻情報が設定され利便性が高い。
【００２１】
図１において、情報記憶手段１１２は、取得した時刻情報Ａ１と時刻情報Ａ２を記憶しておく。情報記憶手段１１２は、記憶手段４と同様な構成で記憶すればよい。送信手段１１３は、少なくとも時刻情報を送信でき、情報伝送路により適した構成であればよい。情報伝送路９は、携帯型情報装置５と情報処理装置１の情報伝送路であり、無線、有線、または接触などを用いればよく、本例では高周波電波を用いた近距離無線を用いる。同様に情報伝送路１０は、情報取得装置１２１と情報処理装置１の情報伝送路であり、無線、有線、接触などを用いればよく、本例では有線のＵＳＢケーブルを用いる。本明細書でいう接続は、主に情報伝送路を確立することである。
【００２２】
図１の携帯型情報装置５にて取得する時刻情報Ａが実際の時刻と誤差を有する場合、処理手段３における処理対象情報の分類の精度は悪くなる。この時、情報処理装置１は、処理手段３による分類が正確になされるように、補正手段６を有してもよい。携帯型情報装置５の示す現在の時刻情報Ｄを、情報伝送路９を介して受信し、さらに、処理対象情報Ｃを取得する情報取得装置１２１の示す現在の時刻Ｅを、情報伝送路１０を介して受信し、処理手段３にて、時刻情報Ｄと時刻情報Ｅを比較して、異なる時間差ＤＥ（時刻情報Ｄ−時刻情報Ｅ）から、時刻情報Ｂを補正した後、処理対象情報Ｃを分類してもよい。例えば、時間差ＤＥが１０分であれば、時刻情報Ｂの時刻を１０分早めるよう補正して時刻情報Ｂ’としてから、分類をおこなう。もしくは、時刻情報Ａ１及び時刻情報Ａ２の時刻を１０分遅くするよう補正してから、分類をおこなってもよい。
【００２３】
同様に、図１において、補正手段６は、時刻処理装置１に原子時計などの正確な時刻取得手段７より取得する時刻情報を用いて補正してもよい。例えば、携帯型情報装置５の示す現在の時刻Ｆを、情報伝送路９を介して受信し、時刻取得手段７から取得する現在の時刻Ｇを時刻Ｆと比較して、異なる時間差Ｈ（Ｇ−Ｆ）から、時刻情報Ａ１または時刻情報Ａ２を補正手段６にて補正した後、処理手段３にて処理対象情報Ｃを分類する。図１において、補正手段６のその他の方法として、情報取得装置１２１から時刻情報Ｉを、情報伝送路１０を介して受信し、時刻取得手段７から取得する現在の時刻Ｊを時刻Ｉと比較して、異なる時間差Ｋ（Ｉ−Ｊ）から、時刻情報Ａ１または時刻情報Ａ２を補正手段６にて補正した後、処理手段３にて処理対象情報Ｃを分類する。
【００２４】
図１において、時刻取得手段７は、時刻情報を取得する。時刻を取得する装置の例として、原子時計、水晶時計、または電波時計でよい。時刻取得手段１１１は、また、インターネットを介して時刻を取得するプログラムを格納してもよく、例えば、ＷＩＮＤＯＷＳ（登録商標）ＸＰなどでは、正確な時刻を取得しているタイムサーバーなどにインターネットを介して接続して、自動的に時刻の同期をおこなうよう設定する事が可能である。タイムサーバーは、ＮＴＰサーバー（Ｎｅｔｗｏｒｋ  Ｔｉｍｅ  Ｐｒｏｔｏｃｏｌ  サーバー）とも呼ぶ。また、時刻取得手段７は、ＧＰＳ衛星からのＧＰＳ信号を用いて正確に補正した時刻を有していてもよい。ＧＰＳによるＧＰＳ信号の取得は、ＫＤＤＩ株式会社、ＳＯＮＹ株式会社、株式会社衛星測位情報センターにより取得されている方法を利用すればよく、一般的に現在位置の取得に利用されている。米国の国防総省に監視されているＧＰＳ衛星の発するＧＰＳ信号は、ＧＰＳ衛星５０３ａが原子時計を用いて発信する瞬間の時刻を示す擬似ランダムコード（Ｐｓｅｕｄｏ−Ｒａｎｄｏｍ  Ｃｏｄｅ）を含み、電波で搬送して一方的に地上へ発信している。このＧＰＳ信号は地上の２箇所で同時に受信することができ、この２箇所に設置している個別の時計装置の現在時刻の補正にも利用される。
【００２５】
図１において、受信手段１０１は、情報取得装置１２１から、処理対象情報Ｃの他、処理対象情報Ｃを特定する時刻情報Ｂを受信してもよい。受信手段２と同様な構成でよい。情報取得装置１２１は、本例では、デジタルカメラである。少なくとも情報取得手段１２２、送信手段１２３を有すればよい。ＣＣＤカメラ、処理対象情報Ｃを記憶する記憶装置、それらを制御する制御回路などにより構成されればよい。その他の情報取得装置１２１の例として、デジタルカメラ、ビデオカメラ、ＩＣレコーダなどでよい。また、情報伝送路１０がインターネットなどで構成される場合、情報処理装置１２１は提供者の運営するサーバーなどでもよく、特定の時間帯のニュース情報を取得してもよい。
【００２６】
図１において、情報取得手段１２２は、処理対象情報である複数の静止画情報を取得すればよい。送信手段１２３は、送信手段１１３と同様な構成であればよい。本例では有線による伝送である。デジタルカメラも時刻情報は一般的に取得して、処理対象情報の添付情報として時刻情報を添付すればよい。例えば水晶時計、電波時計などの時計装置を格納していればよい。
【００２７】
図３は、記憶手段４において、処理対象情報Ｃを時刻情報Ａ１または時刻情報Ａ２と関連付けて記憶する例を示す。本例では、処理手段３にて処理対象情報Ｃを分類後、記憶手段４により時刻情報Ａ１と処理対象情報Ｃを関連付けて記憶する。処理対象情報Ｃの主な分類方法は、図３（ａ）及び図３（ｂ）にて示される方法と、図３（ｃ）にて示される方法の２つがある。図３において、時刻情報Ａ１、時刻情報Ａ２の２つの時刻情報Ａは、使用者１３１が携帯型情報装置５を用いて得た。さらに時刻情報Ｂ１から時刻情報Ｂ５の５つの時刻情報Ｂは、処理対象情報Ｃ１から処理対象情報Ｃ５の５つの処理対象情報Ｃをそれぞれ特定して、使用者１３１が情報取得装置を用いて取得した。これらの時刻情報を時刻順に並べると、時刻情報Ｂ１、時刻情報Ｂ２、時刻情報Ａ１、時刻情報Ｂ３、時刻情報Ａ２、時刻情報Ｂ４、時刻情報Ｂ５のように並べられる場合を例にして説明する。矢印３１０は、時刻情報の順番を示す矢印であり、矢印３１０の方向は新しい時刻の方向である。
【００２８】
図３において、時刻情報Ａ１、時刻情報Ａ２は、例えば使用者１３１が携帯型情報装置５のボタンを押すなどして、取得する意思を示した時刻である。矢印３１１と時刻情報３１２は、それぞれ日付が変わる０時００分を示す時刻である。時刻情報Ｂ３は、情報取得装置１２１にて自動に処理対象情報Ｃ３へ添付されており、処理対象情報Ｃ３が静止画ならば、撮影時刻であり、例えばＥＸＩＦ形式で添付される時刻情報を利用すればよい。処理手段３は、静止画Ｃ３に添付される時刻情報Ｃ３を参照して、時刻情報Ａ１から時刻情報Ａ２までの時間帯に存在することを判別して分類する。時間帯とは、ある時刻からある時刻までの一定の幅の時間であり、本例では、使用者１３１が携帯型情報装置５のボタンを押すなどした時刻情報Ａ１から時刻情報Ａ２までの幅の時間でよい。その他の時間帯の例としては、時刻情報３１１から時刻情報Ａ１、または時刻情報Ａ２から時刻情報３１２の間で示される時間などでもよい。時刻情報３１１と時刻情報３１２は、情報処理装置１、または携帯型情報装置５のどちらで取得した時刻情報でもよい。
【００２９】
図３（ａ）は、記憶手段４の第一の例である。携帯型情報装置５を用いて取得した、時刻情報Ａ１と時刻情報Ａ２のうち、処理対象情報Ｃ３を時刻が前である時刻情報Ａ１と関連付けて記憶する記憶手段である。時刻情報Ａ１以前の時刻情報Ｂ１と時刻情報Ｂ２を分類し、同時に時刻情報Ｂ１で特定される処理対象情報Ｃ１と、時刻情報Ｂ２にて特定される処理対象情報Ｃ２をまとめて、他の静止画像と分類する。同様に、時刻情報Ａ１と時刻情報Ａ２の間に存在する時刻情報Ｂ３にて特定される処理対象情報Ｃ３を分類する。最後に時刻情報Ａ１以降の時刻情報Ｂ４と時刻情報Ｂ５を分類し、同時に時刻情報Ｂ４で特定される処理対象情報Ｃ４と、時刻情報Ｂ５にて特定される処理対象情報Ｃ５をまとめて分類される。分類後に、処理対象情報Ｃ３は、枠３２１のように、直前の時刻情報Ａ１と関連付けて記憶する。同様に、枠３２２のように処理対象情報Ｃ４と処理対象情報Ｃ５を、前にある時刻情報Ａ２と関連付けて記憶する。また、処理対象情報Ｃ１と処理対象情報Ｃ２は、時刻情報３１１に関連付けて記憶されてもよいし、該当する時刻情報Ａがない例外として、同じ日付けであり、隣接する時間帯に存在する時刻情報Ａ１と関連付けて記憶されてもよい。複数の処理対象情報Ｃを全て処理手段３にて分類した後に、分類した処理対象情報Ｃをまとめて記憶手段４にて記憶してもよく、処理対象情報Ｃを一つずつ分類して記憶してもよく、情報処理装置１の処理速度などによりプログラムで指定すればよい。
【００３０】
図３（ｂ）は、記憶手段４の第二の例である。携帯型情報装置５を用いて取得した時刻情報Ａ１と時刻情報Ａ２のうち、時刻が後である時刻情報Ａ２と関連付けて記憶する方法である。処理対象情報の分類方法は、図３（ａ）と同じであるが、枠３１３のように処理対象情報Ｃ３を、時刻情報Ｂ３に対して、時刻順で後にある時刻情報Ａ２と関連付けて記憶する。
【００３１】
図３（ｃ）は、記憶手段４の第三の例である。携帯型情報装置５を用いて取得した時刻情報Ａ１と時刻情報Ａ２のうち、時刻で近い、いずれか一と関連付けて記憶する方法である。まず、処理手段３にて、時刻情報３１１、時刻情報Ａ１、時刻情報Ａ２、および時刻情報３１２を処理して、時刻情報３１１と時刻情報Ａ１の中間の中間時刻３３１、時刻情報Ａ１と時刻情報Ａ２の中間の中間時刻３３２、時刻情報Ａ２と時刻情報３１２の中間の中間時刻３３２を算出する。さらに処理手段３にて、中間時刻３３１と中間時刻３４２の時間帯に存在する、時刻情報Ｂ２に特定される処理対象情報Ｃ２と、時刻情報Ｂ３に特定される処理対象情報Ｃ３が分類する。さらに、記憶手段４にて、時刻情報Ａ１と処理対象情報Ｃ２と処理対象情報Ｃ３を関連付けて記憶する。同様に処理対象情報Ｃ４と処理対象情報Ｃ５は、分類後に時刻情報Ａ２に関連付けて記憶される。また、処理対象情報Ｃ１は、時刻情報３１１に関連付けて記憶されてもよいし、該当する時刻情報Ａがない例外として、隣接する時間帯に存在する時刻情報Ａ１と関連付けて記憶されてもよい。中間時刻３４１の間に存在する時刻情報Ｂ２（丸印３１４）が他の時刻情報Ｂと分類される。同時に静止画Ｃ２と静止画Ｃ３は、他の静止画から分類される。記憶手段４は、時刻情報Ａ１（矢印３１２）と、時刻情報Ｂ２にて特定される静止画Ｃ２、及び時刻情報Ｂ３にて特定される静止画Ｃ３は、関連付けて記憶される。
【００３２】
（実施例２）図４は、本例のシステムの構成例である。図１と伴に説明する。図４において、携帯型情報処理装置５は、図２の腕時計２ａなどでよい。制御回路４０１はＣＰＵであり、主にメモリ内に記憶するプログラム命令を解釈し、実行をおこなう。制御回路４０１はＲＯＭ４０２やＲＡＭ４０３やＥＥＰＲＯＭ４０４に接続または同チップ上に内蔵している。ＲＯＭ４０２は、読み出し専用の不揮発性の半導体メモリである。主に制御回路４０１が最初に実行するオペレーションシステムなどの各種プログラム、通信用のプロトコルプログラム、初期動作のコード、暗号アルゴリズムやなど消去すると困る情報のデータが記憶される。
【００３３】
図４において、ＲＡＭ４０３は、電源を切るとデータが消える揮発性メモリで、任意のアドレスを指定して読み書き可能な半導体メモリである。暗号化や送受信命令のデータの処理など作業領域に利用する。ＥＥＰＲＯＭ４０４は、電源を切ってもデータが消えない不揮発性メモリで、一定以上の電圧で電気的に消去や書き換えできるＲＯＭである。フラッシュメモリを利用してブロック単位で消去や書きこみしてもよい。各種データの記憶に利用する。その他にコプロセッサという制御回路４０１の機能を強化する演算処理回路を有してもよい。本例の認証データはＥＥＰＲＯＭ４０４に記憶されればよい。暗号化して、記憶してもよい。送受信回路４０５は、時刻情報Ａを送信する。電源は、接触端子４０６は金属端子などで構成されて、接触端子４１７と接触して電気信号により時刻情報Ａを送信する端子である。さらに接触端子４１７は、電源回路４１８からの電源を送受信回路４０５へ伝送して利用し、電源回路４０７の電気の消耗を抑えてもよい。電源回路４０７は、ボタン電池などの電池を含み、腕時計２ｂの駆動電源であればよい。クロック発生回路４０８は、水晶発振器、電波アンテナなどを有してもよく、腕時計２ｂが正確な時刻を取得するのに用いる。
【００３４】
図４において、情報処理装置１は、図２のコンピュータ１ａａと読取装置１ａｂなどである。図４において、本体装置４１１と読取装置４１３と表示装置４１２とからなる。読取装置４１３は、接触端子４０６に対応した接触端子４１７、携帯型情報装置５との情報の送受信で利用する電源回路４１８及びクロック発生回路４１９と、本体装置４１１と情報を送受信するインターフェース４１５と、さらにデータと電力とクロックを制御して情報を送受信する送受信回路４１６とからなる。接触端子４１７はＧＮＤ、５Ｖ、−５Ｖ、Ｉ／Ｏ、リセット、クロックなどの端子があり、データの入力と出力、電力の入力、クロックの入力をする。
【００３５】
図４において、本体装置４１１は、読取装置４１３とのデータの送受信に利用するインターフェースと、情報取得装置１２１と処理対象情報および時刻情報Ｂを送受信する送受信回路などを含むモデムと、処理対象情報、時刻情報、及びプログラムなどを記憶するＨＤＤと、使用者１３１がデータを入力するキーボードと、データやプログラムの処理や、各構成を制御する制御回路とからなればよい。ＨＤＤは、少なくともＯＳ、通信用プロトコル、プロトコルを利用するプログラム、ブラウザ、さらにデータベースなどを記憶する。情報処理装置１は、ＥＥＰＲＯＭ４０４に格納された暗号データを参照して、ＨＤＤ内に格納された暗号データと比較して、同一であれば、時刻情報Ａを受信したり、時刻情報Ａを基に処理対象情報を分類したりしてもよい。複合アルゴリズムもＨＤＤに格納されていてもよい。情報処理装置１が、このような携帯型情報装置５を識別する認証手段を有することで、情報処理装置１を複数の使用者１３１により共有して使用するのが容易となり、使用者１３１別に処理対象情報を蓄積することを用意とする。
【００３６】
図１に示すそれぞれの手段や、図３に示す各装置や各構成や各機能などを動作するプログラムは、本例では、ＪＡＶＡ（登録商標）を利用し、Ｗｉｎｄｏｗｓ（登録商標）や、Ｍａｃ  ＯＳ（登録商標）や、Ｌｉｎｕｘなどの各種プラットフォームから利用できるようにした。これにより数種類の装置間で位置情報利用システムを効率よく運用し、管理できる。他のＣ＋＋、Ｖｉｓｕａｌ  Ｂａｓｉｃ（登録商標）など各種プログラム言語を用いても、各装置が相互にデータをやり取りして動作すればよい。コンピュータ１ａａなどは、位置情報利用システムで必要とするプログラムをインターネットを用いて必要の際に受信して用いてもよい。また、本例の情報取得装置１２１は、歩数計などであり、オムロン株式会社の万歩計（登録商標）（ＨＪ−７００ＩＴ）などは、時刻を取得して、時系列で歩数をまとめたり、コンピュータと接続して、時刻ごとの歩数を閲覧することが可能である。本例の処理対象情報は、時刻情報Ｂ１０から時刻情報Ｂ１１までの歩数をコンピュータ上で閲覧したり、歩数データを表計算ソフトウェア上で加工できればよい。また、処理対象情報は、時刻と歩数がリスト状に並べられたテキストファイルでもよい。
【００３７】
図４において、使用者１３１は、散歩中、歩数などの処理対象情報を、歩数計などの情報取得装置を用いて取得する。この時、使用者１３１が散歩中に息の苦しかった時間帯を腕時計である携帯型情報装置５のボタン４０９をおして、図１の時刻情報Ａを取得する。時刻情報Ａは１回目に取得された時刻情報Ａ１と２回目に取得された時刻情報Ａ２からなる。例えば、制御回路４０１が、ボタン４０９からの入力を検知し、クロック発生回路４０８から時刻情報Ａ１を取得し、次にＥＥＰＲＯＭ４０４へ時刻情報Ａ１を記憶するよう制御する。同様に使用者１３１は、ボタン４０９を押すことにより、時刻情報Ａ２を取得する。時刻情報Ａ２は、クロック発生装置４０８を用いて、時刻情報Ａ１から経過した一定の時間で自動に取得してもよい。時刻情報Ａ１から経過した一定の時間は、時刻情報Ａ１から経過した時間は使用者１３１が操作して携帯型情報装置５に記憶するか、処理対象情報Ｃの測定に適した時間として携帯型情報装置５に製造時に記憶されていればよい。時刻情報Ｂおよび処理対象情報Ｃは、時系列の歩数情報として、使用者１３１が散歩中に携帯する情報取得装置１２１により取得されて記憶されればよい。また、携帯型情報装置５と情報取得装置１２１はコードなどで接続する必要はない。使用者１３１が、帰宅後に、情報取得装置と情報処理装置１を接続して、時系列でまとめられた歩数などの処理対象情報Ｃを受信する。時系列でまとめられた歩数は、ある時刻からある時刻までの間の時間帯に得られた歩数が明らかである。処理対象情報Ｃは、一旦本体装置４１１のＨＤＤなどに保存すればよい。さらに、使用者１３１は、図４のように、携帯型情報装置５を情報処理装置１に接続する。本体装置４１１は、情報伝送路９ｂを介して時刻情報Ａを受信する。
【００３８】
図４において、本体装置４１１は、携帯型情報装置５が取得した時刻情報Ａ１と時刻情報Ａ２を受信してＨＤＤに一旦記憶する。次に本体装置４１１は、時刻情報Ａ１を基に時刻情報Ｂ１０を特定して、さらに時刻情報Ａ２を基に時刻情報Ｂ１０を特定する。さらに、本体装置４１１は、時刻情報Ｂ１０と時刻情報Ｂ１１の間の歩数である処理対象情報Ｃ１０を、他の歩数データから分類する。処理手段３による分類ではは、元の歩数データを残しても、残さないで分類してもよく、処理対象情報Ｃ１０に当たるデータをコピーしても、抜き取ってもよい。処理手段３および記憶手段４は、ＨＤＤにある時刻情報Ａと時刻情報Ｂと処理対象情報Ｃを、メモリに読みこんで、ＣＰＵがプログラムに従い処理すればよい。このように、使用者１３１は、時刻情報Ａ１と時刻情報Ａ２の間に取得された処理対象情報Ｃ１０を特定するのが容易となり、息の苦しかった時間帯の歩数を閲覧して分析する。
【００３９】
（実施例３）  図５、図６は、情報処理装置１の画面の表示方法の例である。図１を基に説明する。図５、図６の表示装置４１２は、情報処理装置１の構成であり、使用者１３１が表示画面で情報を閲覧する。本例では、処理手段３の後に、携帯型情報装置５を用いて取得した時刻情報と画像情報が関係付けられて記憶されている。処理対象情報は、デジタルカメラにて取得した静止画の他、心拍計で測定した時系列で並べた心拍数のグラフデータ、歩数計で測定した時系列で並べた歩数のデータなどでもよい。図５（ａ）は、受信手段２にて受信した時刻記憶手段１１２の記憶内容を閲覧した例である。使用者１３１は表示画面を閲覧しながら操作してもよい。「１月１３日１５時１５分」は、時刻情報Ａ１を示す。「所沢駅」などの文字列は、時刻情報Ａ１の取得前後に携帯型情報装置５を操作して入力した文字列でもよい。同様に、「１月１３日１７時４０分」は、時刻情報Ａ２を示す。画面の分類設定で、処理対象情報の分類方法または記憶方法を設定すればよい。分類元フォルダは、ＵＳＢ線で接続された情報取得装置１２１の半導体記憶媒体を設定すればよい。ファイル方式は、処理対象情報が圧縮されて記憶された方法を選べばよい。
【００４０】
図５（ｂ）は、受信手段１０１にて受信した、処理対象情報、及び処理対象情報を特定する時刻情報Ｂを閲覧した例である。例えば、「１月１３日１時２０分」は時刻情報Ｂ２であり、「ＪＰＧ２」は処理対象情報Ｃ２のファイル名である。「１月１３日１５時２０分」は時刻情報Ｂ３であり、「ＪＰＧ３」は処理対象情報Ｃ３のファイル名である。同様に、「１月１３日１７時４０分」が時刻情報Ｂ４であり、「ＪＰＧ４」が処理対象情報Ｃ４のファイル名である。
【００４１】
図６（ｃ）は、処理手段３による分類後に、記憶手段４にて記憶した情報を、閲覧した時に示される情報処理装置１の表示画面例である。本例では、情報処理装置１は、図３（ａ）で示される方法にて処理対象情報Ｃ３を分類して、時刻情報Ａ１と関係付けて記憶する。処理対象情報Ｃ３の下には取得した時刻情報Ｂ３を表示してもよい。文字６０１を選択すると、処理対象情報Ｃ３を取得した場所の位置を地図上に表示してもよい。
【００４２】
図６（ｄ）は、処理対象情報Ｃ３と、静止画Ｃ３と関連付けて記憶される時刻情報Ａ１を、カレンダ上に表示した例である。文字列６１１は表示する年と月を示している。矢印６１２で前の月のカレンダを表示する。太枠６１３は時刻情報Ａ３及び処理対象情報Ｃ３が格納されている事を示し、格納されていない日は枠６１４のように太枠になっていない。欄を太枠にする代わりに、欄の色を変えたり、形を変形されたり、文字形をかえたり、マウス表示を欄の上に置くと格納されている情報の詳細が表示されてもよい。格納されている情報により欄の色が変化してもよい。このように、情報処理装置１は、処理対象情報Ｃを時刻情報Ａを基に分類して、さらに関連付けて記憶することで、使用者１３１がカレンダ上などで容易に特定できるようにして、利便性を向上する。
【００４３】
（実施例４）  図７に情報処理装置１と情報取得装置１２１のシステム構成を示す。情報処理装置１は、例えばコンピュータであり、情報取得装置１２１は、例えばデジタルカメラ、ＩＣレコーダ、デジタルビデオカメラ、カメラ付き携帯電話、またはサーバーなどである。情報伝送路１０は、有線、無線、接触などによる伝送路であり、コード、携帯電話無線回線、インターネットなどでもよい。情報伝送路１０を介して伝送される処理対象情報Ｃは、静止画、音声情報、動画、その他にインターネットを介して取得される時刻を添付された情報でよい。また、情報伝送路１０を介して伝送される時刻情報Ｂは、処理対象情報Ｃに添付されていてもよい。このままのシステム構成では、日付と時刻情報Ｂを処理して、処理対象情報Ｃを分類する事は可能であるが、使用者１３１が任意の処理対象情報Ｃを自動的に抽出する事は、困難である。
【００４４】
図７に示すシステムおいて、図１の時刻取得手段１１１を、図７の情報取得装置１２１に格納して、使用者１３１が任意に決定して取得する時刻情報Ａを、処理対象情報Ｃ及び時刻情報Ｂに加えて、情報処理装置１へ送信する。この時、少なくとも、時刻情報Ａを受信する受信手段と、時刻情報Ａを基に処理対象情報Ｃを分類する処理手段を有する。さらに、分類した処理対象情報Ｃを時刻情報Ａと関連付けて記憶する記憶手段を有する。このように受信手段と記憶手段を有することで本システムを用いて、使用者が任意の処理対象情報Ｃを検索するなどが容易とする。さらに、使用者１３１が任意の時間帯の処理対象情報Ｃを特定して、閲覧して分析するなど利便性を向上する。
【００４５】
【発明の効果】
本発明によれば、使用者が、携帯する携帯型情報装置を操作して取得した時刻情報を基に、特定の時間帯の処理対象情報を、他の同様な情報から分類する。これにより、使用者が利用を希望する処理対象情報を、後に特定するのを容易にして、利便性を向上する。また、使用者が操作して取得した時刻情報と、処理対象情報を関連付けて記憶する事で、使用者が記憶する時刻情報から、処理対象情報を検索するのを容易とし、利便性を向上する。さらに、使用者が処理対象情報と関連付けられて記憶されている時刻情報を基に、取得した時期の位置情報、地図情報、地域情報を得ることで、文字情報や時刻情報や画像情報を得た位置情報を地図上で明確にしたり、周辺の店舗などの地域の情報を調査したり、日記などに編集しなおしたりして、後の編集をしやすくして使用者の利便性を向上する。携帯型情報装置は、第１の時刻情報を取得後に、一定の時間が経過すると第２の時刻情報を自動に取得してもよい。これにより、使用者は少ない操作で処理対象情報を分類することが可能となり、利便性を向上する。
【００４６】
使用者が携帯する腕時計などの携帯型情報装置を活用して、デジタルカメラや歩数計などの情報取得装置の機能を複雑化、重量化することなく、特定の処理対象情報を分類する事を容易とし、使用者が欲した処理対象情報の分析を容易として利便性を向上する。
【図面の簡単な説明】
【図１】本発明の実施例の各手段の構成である。
【図２】本発明の実施例１の装置の構成である。
【図３】本発明の実施例１の分類手段および記憶手段の例である。
【図４】本発明の実施例２の装置の構成である。
【図５】本発明の実施例３の表示画面の構成である。
【図６】本発明の実施例３の表示画面の構成である。
【図７】本発明の実施例４の各手段の構成である。
【符号の説明】
１  情報処理装置
２  受信手段
３  処理手段
４  記憶手段
５  携帯型情報装置
６  補正手段
１１１  時刻取得手段
１３１  使用者
【図１】
2004288115.tif 000003
【図２】
2004288115.tif 000004
【図３】
2004288115.tif 000005
【図４】
2004288115.tif 000006
【図５】
2004288115.tif 000007
【図６】
2004288115.tif 000008
【図７】
2004288115.tif 000009